(57)【要約】      （修正有）【課題】高級感のある長い形状を備えるとともに、装着性及び取扱性に優れた付け爪を提供する。【解決手段】基部から先端部に向けて凸状に湾曲した輪郭を備えるプラスチック成形体からなる付け爪１０であって、下記式（１）及び（２）の寸法比率を満足するとともに、平坦な面に載置した時に４つの縁辺はそれぞれこの平坦な面から最大高さ０．５ｍｍ以上の隙間を開けて凸状に湾曲していることを特徴とする付け爪１０。１．０２≦Ｌ２／Ｌ１≦１．０８  ・・・（１）    ２≦Ｌ１／Ｗｐ１≦３        ・・・（２）上記式中、Ｌ１は付け爪の長手方向中心軸線に沿った最短長さ、Ｌ２は付け爪の表面の長手方向中心軸線に沿った周長、Ｗｐ１は付け爪の基部の幅。【選択図】図１
2008253550.tif 000002
【特許請求の範囲】
【請求項１】
基部から先端部に向けて凸状に湾曲した輪郭を備えるプラスチック成形体からなる付け爪であって、下記式（１）及び（２）の寸法比率を満足するとともに、平坦な面に載置した時に４つの縁辺はそれぞれこの平坦な面から最大高さ０．５ｍｍ以上の隙間を開けて凸状に湾曲していることを特徴とする付け爪。
１．０２≦Ｌ２／Ｌ１≦１．０８  ・・・（１）
２≦Ｌ１／Ｗｐ１≦３        ・・・（２）
上記式中、
Ｌ１は付け爪の長手方向中心軸線に沿った最短長さ、
Ｌ２は付け爪の表面の長手方向中心軸線に沿った周長、
Ｗｐ１は付け爪の基部の幅。
【請求項２】
さらに、下記式（３）及び（４）の寸法比率を満足する請求項１に記載の付け爪。
１．２≦Ｗｄ２／Ｗｄ１≦１．３  ・・・（３）
１．１≦Ｗｐ１／Ｗｄ１≦１．２  ・・・（４）
上記式中、
Ｗｄ１は付け爪の先端部の幅、
Ｗｄ２は付け爪の先端部の表面の周長、
Ｗｐ１は付け爪の基部の幅。
【請求項３】
先端部の幅（Ｗｄ１）が６ｍｍ乃至１２ｍｍの範囲内にあり、かつ、長手方向中心軸線に沿った最短長さ（Ｌ１）が１９ｍｍ乃至２９ｍｍの範囲内にある、互いにサイズの異なる１０種類の付け爪のセットからなる請求項１または２に記載の付け爪。
【請求項４】
長手方向中心軸線に沿った最短長さ（Ｌ１）が１９．５ｍｍ乃至２８．５ｍｍの範囲内にある請求項３に記載の付け爪。
【請求項５】
表面に装飾が施されている請求項１乃至４の何れか１項に記載の付け爪。
【請求項６】
基部の裏面に接着剤が塗布されている請求項１乃至５の何れか１項に記載の付け爪。
【発明の詳細な説明】
【技術分野】
【０００１】
本発明は、長手方向中心軸線方向の長さが長く、高級感のある形状を備え、さらに、装着性及び取扱性に優れた付け爪に関する。
【背景技術】
【０００２】
近年のネイルアートの流行に伴い、ネイルサロンでオーダーメイドせずに、自分で爪に装着して簡単にネイルアートを楽しめるように、各種デザインの付け爪が販売されるようになった。
【０００３】
この種の付け爪は、一般に、サイズが互いに異なる１０種類の付け爪を同梱したセットとして販売されている。爪のサイズは人により様々であるが、上記セットは、上記１０種類のサイズを用意しているので、その中から自分の５本の指の爪に適合するサイズの付け爪を選択して使用できるように構成されている（特許文献１参照）。
【０００４】
このような従来の付け爪は、幅に対して長さが最大で２倍程度の寸法であったが、消費者の高級品志向や商品のプレミアム化に伴い、従来よりも長さが長く、かつ高級感のある輪郭を備えた付け爪が求められるようになっている（特許文献２参照）。
【０００５】
しかし、単に付け爪の長さを長くしただけでは、ワープロ操作等の事務作業などの妨げとなり装着性の点で問題を生じ、また、形状の高級感も必ずしも高まらない。また、従来の付け爪は、表面を上に向けて平坦な面に置いたときに、付け爪の側縁のほぼ全体がこの平坦な面に接触するため、側縁を指やピンセットで掴む際に困難を伴い、取扱性に劣っていた。
【０００６】
【特許文献１】特開２００５−３４９１８３号公報
【特許文献２】特開２００５−８１１１８号公報
【発明の開示】
【発明が解決しようとする課題】
【０００７】
本発明は、上述した要求及び課題に鑑み、高級感のある長い形状を備えるとともに、装着性及び取扱性に優れた付け爪を提供することを目的とする。
【課題を解決するための手段】
【０００８】
本発明者等は、上記目的を達成すべく鋭意研究を重ねた結果、従来よりも長さの長い付け爪において、表面の湾曲形状を所定の範囲内とし、かつ、側縁を含む４つの縁辺を従来よりも湾曲した形状とすることにより、本発明の目的を達成できることを見出し、本発明を完成するに至った。
【０００９】
かくして、本発明によれば、下記（１）〜（６）の発明が提供される。
（１）基部から先端部に向けて凸状に湾曲した輪郭を備えるプラスチック成形体からなる付け爪であって、下記式（１）及び（２）の寸法比率を満足するとともに、平坦な面に載置した時に４つの縁辺はそれぞれこの平坦な面から最大高さ０．５ｍｍ以上の隙間を開けて凸状に湾曲していることを特徴とする付け爪。
１．０２≦Ｌ２／Ｌ１≦１．０８  ・・・（１）
２≦Ｌ１／Ｗｐ１≦３        ・・・（２）
上記式中、
Ｌ１は付け爪の長手方向中心軸線に沿った最短長さ、
Ｌ２は付け爪の表面の長手方向中心軸線に沿った周長、
Ｗｐ１は付け爪の基部の幅。
【００１０】
（２）さらに、下記式（３）及び（４）の寸法比率を満足する上記（１）項に記載の付け爪。
１．２≦Ｗｄ２／Ｗｄ１≦１．３  ・・・（３）
１．１≦Ｗｐ１／Ｗｄ１≦１．２  ・・・（４）
上記式中、
Ｗｄ１は付け爪の先端部の幅、
Ｗｄ２は付け爪の先端部の周長、
Ｗｐ１は付け爪の基部の幅。
【００１１】
（３）先端部の幅（Ｗｄ１）が６ｍｍ乃至１２ｍｍの範囲内にあり、かつ、長手方向中心軸線に沿った最短長さ（Ｌ１）が１９ｍｍ乃至２９ｍｍの範囲内にある、互いにサイズの異なる１０種類の付け爪のセットからなる上記（１）または（２）項に記載の付け爪。
【００１２】
（４）長手方向中心軸線に沿った最短長さ（Ｌ１）が１９．５ｍｍ乃至２８．５ｍｍの範囲内にある上記（３）項に記載の付け爪。
（５）表面に装飾が施されている上記（１）乃至（４）項の何れか１項に記載の付け爪。
（６）基部の裏面に接着剤が塗布されている上記（１）乃至（５）項の何れか１項に記載の付け爪。
【発明の効果】
【００１３】
本発明によれば、上記比率Ｌ１／Ｗｐ１を上記範囲とすることにより、付け爪の長さを所定の長さ範囲とした上で、上記比率Ｌ２／Ｌ１を上記範囲とすることにより、長手方向の湾曲形状を所定範囲に規定し、さらに、両側縁を含む４つの縁辺も凸状に湾曲した形状としたことにより、長くても、高級感があり、装着性や、装着時の取扱性にも優れた付け爪が得られる。
【発明を実施するための最良の形態】
【００１４】
図１は、本発明の付け爪の具体例を示す概略図であり、数字１０は付け爪全体を示し、プラスチックを成形して得られた薄板からなる。図１（ａ）の平面図に示されるように、本発明の付け爪１０は、一点鎖線で示される長手方向中心軸線に対して略対称の形状を備え、幅方向には両側縁のそれぞれから長手方向中心軸線に向けて凸状すなわち弓形に滑らかに隆起した湾曲形状を備え、図１（ｄ）の側面図に示されるように、長手方向には基部１１及び先端部１２のそれぞれから中央部に向けて凸状すなわち弓形に隆起した湾曲形状を備えている。
【００１５】
本発明の付け爪１０は、従来の付け爪よりも長い形状を備えており、図１（ａ）に示される基部１１の幅Ｗｐ１に対する付け爪の長手方向中心軸線に沿った最短長さＬ１の比率Ｌ１／Ｗｐ１は、２≦Ｌ１／Ｗｐ１≦３の範囲に設定される。これによって、近年の消費者の高級品志向に適合した長い付け爪の基本構成が提供される。幅Ｗｐ１は、通常の人の爪の幅を基準に定められ、通常、６ｍｍから１４ｍｍの間の値とされる。
【００１６】
本発明の付け爪１０は、図１（ａ）に示されるように、基部１１から先端部１２に向けて若干幅狭にされた平面形状を備えている。基部１１と先端部１２の間は、直線的または曲線的に滑らかに寸法が減少するようにされる。例えば、図１（ａ）に示される付け爪１０の先端部１２の幅Ｗｄ１に対する基部１１の幅Ｗｐ１の比率Ｗｐ１／Ｗｄ１は、１．１≦Ｗｐ１／Ｗｄ１≦１．２とすることが好ましい。幅Ｗｄ１は、Ｗｐ１よりも１ｍｍから２ｍｍ程度短い長さに設定することが好ましく、具体的には、６ｍｍ乃至１２ｍｍの範囲内とすることが好ましい。これによって、高級感と同時に、自然で審美性の高い付け爪の形状が得られる。幅Ｗｐ１及び幅Ｗｄ１は、物差しなどを用いて測定できる。
【００１７】
さらに、本発明の付け爪１０は、図１（ｄ）に示されるように、基部１１から先端部１２にかけて長手方向に凸状すなわち弓形に滑らかに湾曲した側面形状を備える。湾曲の度合いは、付け爪の長手方向中心軸線に沿った最短長さＬ１に対する表面１３の周長Ｌ２の比率Ｌ２／Ｌ１が１．０２≦Ｌ２／Ｌ１≦１．０８、好ましくは１．０３≦Ｌ２／Ｌ１≦１．０７を満たすように形成される。最短長さＬ１は、通常、１９ｍｍ乃至２９ｍｍの範囲とすることが好ましく、１９．５ｍｍ乃至２８．５ｍｍの範囲内であることがより好ましい。これによって、自然で審美性の高い輪郭が得られるだけでなく、付け爪を装着してワープロ等の事務作業を行った場合でも、作業の妨げとなることが防止される。なお、最短長さＬ１は、付け爪１０を平坦な面に載置して、その長手方向中心軸線上の両端をノギスで挟むことによって測定することができる。周長Ｌ２は、付け爪１０の表面１３に長手方向中心軸線に沿ってテープを付着させ、付け爪１０の両端の所でテープを切断し、切断されたテープの直線長さを測定することで求めることができる。
【００１８】
さらに、本発明の付け爪１０は、図１（ｂ）、（ｃ）及び（ｄ）に示されるように、４つの縁辺は、それぞれ表面１３の形状に追随して、凸状すなわち弓形に滑らかに湾曲した形状を備えており、したがって、付け爪１０を、その表面１３を上に向けて平坦な面に載置した時に、４つの縁辺は、何れも、この面との間に隙間１５を形成する。本発明によれば、この隙間１５の最大高さ（ＨＤ，ＨＰ，ＨＬ）は０．５ｍｍ以上、好ましくは０．７ｍｍ以上１．５ｍｍ以下とされる。この隙間１５が、付け爪の両端部のみならず、図１（ｄ）に示されるように、付け爪の側縁１４の下にも形成されるため、本発明の付け爪は、両側の縁辺１４を指で摘んだり、隙間１５にピンセットを挿入させて摘み上げることができ、製造時及び装着時に簡単に取り扱うことができ、操作性に優れており、かつ、自然爪とのフィット感にも優れている。隙間１５の最大高さは、この隙間１５に、直径０．５ｍｍ、０．７ｍｍ、０．９mm等のシャープペンの芯を挿入できるかどうかによって簡単に判定できる。
【００１９】
また、本発明の付け爪１０は、図１（ｃ）に示されるように、付け爪の先端部の幅（Ｗｄ１）に対する先端部の表面の周長（Ｗｄ２）の比率Ｗｄ２／Ｗｄ１は、１．２≦Ｗｄ２／Ｗｄ１≦１．３の範囲を満たすように形成することが好ましい。これにより、自然で審美性に優れた付け爪の形状が得られるだけでなく、付け爪の先端部の強度が一定に保たれる。周長Ｗｄ２は、付け爪１０の表面１３にその先端部に沿ってテープを付着させ、付け爪１０の両側の縁辺の所でテープを切断し、切断されたテープの直線長さを測定することで求めることができる。
【００２０】
本発明の付け爪は、上記輪郭の要件を満たす大小各種のサイズの付け爪をセットしたものであってもよい。例えば、幅Ｗｐ１が１４〜１３ｍｍ、１３〜１２．２ｍｍ、１２．２〜１１．５ｍｍ、１１．５〜１０．５ｍｍ、１０．５〜９．７ｍｍ、９．７〜９．２ｍｍ、９．２〜８．２ｍｍ、８．２〜７．８ｍｍ、７．８〜７．２ｍｍ、７．２〜６．５ｍｍのようなサイズの異なる１０種類の付け爪をセットとしたものであってもよい。これによって、大概の人の５本の指の爪のサイズに適合する５種類の付け爪を含ませることができる。
【００２１】
本発明の付け爪は、ＡＢＳ樹脂、ポリプロピレン樹脂等のプラスチック材料を射出成形等の成形方法で成形することによって製造することができる。成形体の厚さは、０．５〜１ｍｍ程度とすることが好ましい。
【００２２】
本発明の付け爪は、いわゆるモールドと呼ばれる無色透明の状態で供給してもよく、または、該モールドの表面に装飾を施した状態で供給することもできる。本発明の付け爪の裏面には、ワンタッチで自然爪に装着できるように、予め接着剤や両面テープを塗布または貼付しておいてもよい。接着剤としては、シアノアクリレート系接着剤、酢酸ビニルアクリル酸エステル系接着剤などを使用することができる。また、付け爪と接着剤とを同梱してセットとして供給してもよい。
【実施例】
【００２３】
次に、本発明の具体例について説明するが、本発明は、当該具体例のみに限定されるものではない。
【００２４】
ＡＢＳ樹脂を用いて常法に従って射出成形することにより、表１に示される１０種類の異なる寸法の付け爪（肉厚０．５〜０．７ｍｍ）を作製した。何れも、本発明の寸法比率を満たすものである。
【００２５】
【表１】
2008253550.tif 000003
【００２６】
何れの付け爪も、４つの縁辺は湾曲しており、平坦な面に置いたときでも、何れの縁辺の隙間１５にも直径０．７ｍｍのシャープペンの芯を容易に通過させることができ、＃９の先端部の隙間１５以外は、何れの縁辺の隙間１５にも直径０．９ｍｍのシャープペンの芯を容易に通過させることができ、何れの付け爪においても、最大高さ（ＨＤ，ＨＰ，ＨＬ）は０．５ｍｍ以上であることが確かめられた。したがって、図１に示す隙間１５に指をかけることで、従来品よりも取り扱いが楽に行え、装着も容易であった。また、何れの付け爪も、従来品よりも長さの長いものであったが、自然爪とのフィット感に優れており、ワープロ作業なども、従来品と同等に行うことができた。
【産業上の利用可能性】
【００２７】
本発明の付け爪は、個人でネイルアートを楽しむ場合のみならず、ネイルサロンでのメイクアップにも使用することができ、美容、化粧品等の分野において利用できる。
【図面の簡単な説明】
【００２８】
【図１】（ａ）は本発明の付け爪を示す平面図、（ｂ）は（ａ）に示される付け爪の基部の端面図、（ｃ）は（ａ）に示される付け爪の先端部の端面図、（ｄ）は（ａ）に示される付け爪の右側面図（左側面図は右側面図と対称に表われる）である。
【符号の説明】
【００２９】
１０…付け爪、１１…基部、１２…先端部、１３…表面、１４…縁辺、１５…隙間。
【図１】
2008253550.tif 000004